(57)【要約】【課題】  サスペンド機能の採用により消費電力の抑制が図れるとともに、レジューム処理中であっても商品の登録を受付けることができる商品登録処理装置を提供する。【解決手段】  サスペンド機能を採用して、当該ＰＯＳターミナル１の消費電力を抑制する。サスペンド状態から通常に復帰するためのレジューム処理に際しては、その実行中にバックアップ電源を用いて商品登録の受付け処理を実行する。【選択図】      図２
2008158688.tif 000002
【特許請求の範囲】
【請求項１】
所定のタイミングでサスペンド状態を設定する制御手段と、
前記サスペンド状態の設定時、そのサスペンド状態から通常に復帰するためのレジューム処理を所定の操作に応じて実行する制御手段と、
前記レジューム処理の実行中、商品登録の受付け処理をバックアップ電源を用いて実行する制御手段と、
を備えることを特徴とする商品登録処理装置。
【請求項２】
前記所定の操作は、バーコードスキャナまたはレジュームスイッチの操作であることを特徴とする請求項１に記載の商品登録処理装置。
【発明の詳細な説明】
【技術分野】
【０００１】
この発明は、商品の販売に使用される電子式キャッシュレジスタあるいはＰＯＳターミナルなどの商品登録処理装置に関する。
【背景技術】
【０００２】
一般に、パーソナルコンピュータや複写機などでは、ユーザによる使用がないまま所定時間が経過した場合に、省電力のためのサスペンド状態が設定される（例えば特許文献１，２）。サスペンド状態の設定後は、ユーザによる何らかの操作がきっかけとなって、サスペンド状態から通常に復帰するためのレジューム処理が実行される。
【０００３】
商品の販売に使用される電子式キャッシュレジスタやＰＯＳターミナルなどの商品登録処理装置においても、消費電力の抑制のため、同様のサスペンド機能の採用が考えられる。
【特許文献１】特開２００３―３２３２３６号公報
【特許文献２】特開２００２―３２１５５号公報
【発明の開示】
【発明が解決しようとする課題】
【０００４】
サスペンド状態から通常に復帰するためのレジューム処理には、オペレーティングシステム（ＯＳ）およびアプリケーションプログラムの起動が含まれる。この起動には時間がかかり、その間、ユーザはじっと待つことになる。
【０００５】
このようなサスペンド機能を電子式キャッシュレジスタやＰＯＳターミナルなどの商品登録処理装置に採用すると、レジューム処理の間に商品登録ができず、いわゆるレジ待ちの状態となって、買い物客に迷惑をかけたり、ひいては店舗売上げの減少を招いてしまう。
【０００６】
この発明は、上記の事情を考慮したもので、その目的は、サスペンド機能の採用により消費電力の抑制が図れるとともに、レジューム処理中でも商品の登録を受付けることができる商品登録処理装置を提供することにある。
【課題を解決するための手段】
【０００７】
請求項１に係る発明の商品登録処理装置は、所定のタイミングでサスペンド状態を設定する制御手段と、上記サスペンド状態の設定時、そのサスペンド状態から通常に復帰するためのレジューム処理を所定の操作に応じて実行する制御手段と、このレジューム処理の実行中、商品登録の受付け処理をバックアップ電源を用いて実行する制御手段と、を備えている。
【発明の効果】
【０００８】
この発明の商品登録処理装置によれば、サスペンド機能の採用により、消費電力を抑制できる。しかも、サスペンド状態から通常に復帰するためのレジューム処理中であっても商品の登録を受付けることができて、買い物客に迷惑をかけたり店舗売上げが減少するといった不具合は生じない。
【発明を実施するための最良の形態】
【０００９】
以下、この発明の一実施形態について図面を参照して説明する。
【００１０】
図１は、商品登録処理装置たとえばＰＯＳ（Point Of Sales）ターミナルの外観図である。
【００１１】
ＰＯＳターミナル１は、現金等を収容するためのドロワ２の上に載置されており、このドロワ２の引出し２ａの開閉を制御する。
【００１２】
ＰＯＳターミナル１の本体には、正面側にキーボード３、モードスイッチ４、カードリーダ５、およびオペレータ表示器（カラー液晶表示器）６が設けられ、背面側に客面表示器（カラー液晶表示器）７が設けられている。また、ＰＯＳターミナル１の本体には、ジャーナルを電子媒体に保存する電子ジャーナル８、およびレシート及びジャーナルをプリントするプリンタ９が設けられている。さらに、ＰＯＳターミナル１から商品情報入力手段としてバーコードスキャナ１０が導出されている。バーコードスキャナ１０は、商品に付された商品ラベルに印刷されたバーコードを読取る機能を有する。
【００１３】
上記キーボード３は、預かり金額などを置数するための置数キー、１取引として販売登録された商品の合計出力を指示する小計キー、１取引の代金を現金決済することを宣言して当該取引の締めを指示する預／現計キー、置数データのクリアを指示するクリアキー等を備えている。
【００１４】
上記モードスイッチ４は、「登録」，「点検」，「精算」，「設定」などの各種業務モードを選択するためのスイッチで、専用の鍵で操作される。因みに、「登録」とは、商品情報入力手段により入力された商品情報に基づいて商品の価格を加算してその売上データを記憶部に販売登録処理（商品登録手段）し、商品販売登録の終了が宣言された１取引の代金を精算してレシートを発行（登録締め手段）する業務のモードである。「点検」とは、記憶部に登録処理された各商品の売上データを集計しレポート出力する業務のモードである。「精算」とは、「点検」と同様に記憶部に登録処理された各商品の売上データを集計してレポート出力した後、記憶部の売上データをクリアする業務のモードである。「設定」とは、各種業務を実行する上で必要なデータを予め記憶部に設定するための業務である。
【００１５】
上記カードリーダ５は、非現金決済に用いるカードが挿入されてスライド操作されることにより、そのカードに記録されているデータを読取る。
【００１６】
上記オペレータ表示器６は、商品登録手段により販売登録された商品の品名，価格や、商品販売登録の終了が宣言され登録締め手段により１取引の合計金額、預かり金額、釣り銭額などを表示する。
【００１７】
上記客面表示器７は、カラー写真やカラー動画によるコマーシャル情報、たとえば『いらっしゃいませ』などの顧客案内情報、取引明細（商品名、単価、個数）、取引結果（合計金額，預かり金額、釣り銭額）等を表示する。
【００１８】
このような構成のＰＯＳターミナル１において、キーボード３およびカードリーダ５の近傍に、レジューム開始を指示するためのレジュームスイッチ１１が設けられている。
【００１９】
このような構成のＰＯＳターミナル１の制御回路を図２に示している。  
サスペンド機能を有するＣＰＵ（Central Processing Unit）２０およびチップセット２１に、商品登録処理を実行するマイクロコンピュータ２２、当該ＰＯＳターミナル１の動作電圧を出力する電源回路２３、サスペンド時にバックアップ用動作電圧を出力するバックアップ電源回路２４が接続されている。そして、マイクロコンピュータ２２に、ハードディスクドライブ（ＨＤＤ）３１、ファームウェアメモリ３２、バックアップ用メモリ３３、バーコードスキャナ１０、レジュームスイッチ１１、キーボード３、客面表示器７、Ｉ／Ｏ（Input／Output）ポート３４、カードリーダ５、オペレータ表示器６、電子ジャーナル８、およびプリンタ９が接続されている。
【００２０】
バックアップ電源回路２４から出力されるバックアップ用動作電圧は、ＣＰＵ２０、チップセレクト２１、マイクロコンピュータ２２、ハードディスクドライブ３１、ファームウェアメモリ３２、バックアップ用メモリ３３、バーコードスキャナ１０、レジュームスイッチ１１、キーボード３、および客面表示器７に供給される。
【００２１】
上記ハードディスクドライブ３１には、マイクロコンピュータ２２の商品登録処理に必要なオペレーティングシステム（ＯＳ）およびアプリケーションプログラムが格納されている。ファームウェアメモリ３２には、マイクロコンピュータ２２の少なくとも商品登録の受付け処理に必要な最小限のファームウェアが格納されている。バックアップ用メモリ３３には、レジューム処理中にマイクロコンピュータ２２が受付けた商品登録のデータが記憶される。
【００２２】
そして、上記ＣＰＵ２０は、所定のタイミングでサスペンド状態を設定する制御手段と、このサスペンド状態の設定時、そのサスペンド状態から通常に復帰するためのレジューム処理を所定の操作に応じて実行する制御手段と、を有している。また、上記マイクロコンピュータ２２は、サスペンドに関わる主要な機能として、上記レジューム処理の実行中、商品登録の受付け処理を上記バックアップ電源回路２４の出力を用いて実行する制御手段、を有している。
【００２３】
つぎに、上記の構成の作用を図３のフローチャートを参照しながら説明する。  
通常、電源回路２３から出力される動作電圧により当該ＰＯＳターミナル１が動作し、バーコードスキャナ１０およびキーボード３などの操作に応じて、商品の登録処理が実行される（ステップ１０１）。
【００２４】
店員による操作が何もないまま所定時間が経過すると、サスペンドタイミングであるとの判断の下に（ステップ１０２のＹＥＳ）、省電力のためのサスペンド状態が設定される（ステップ１０３）。すなわち、サスペンド状態が設定されると、設定電源回路２３の動作が停止され、電源回路２３から当該ＰＯＳターミナル１の全体に対する動作電圧が出力されなくなるとともに、バックアップ電源回路２４からバックアップ用動作電圧が出力され、そのバックアップ用動作電圧によってＣＰＵ２０、チップセレクト２１、マイクロコンピュータ２２、ハードディスクドライブ３１、ファームウェアメモリ３２、バックアップ用メモリ３３、バーコードスキャナ１０、レジュームスイッチ１１、キーボード３、および客面表示器７の動作状態が継続される。
【００２５】
このサスペンド状態が設定されることにより、当該ＰＯＳターミナル１の消費電力が抑制される。
【００２６】
その後、店員によりバーコードスキャナ１０が操作されたとき（ステップ１０４のＹＥＳ）、あるいは店員によりレジュームスイッチ１１が操作されたとき（ステップ１０５のＹＥＳ）、サスペンド状態から通常に復帰するためのレジューム処理が開始される（ステップ１０６）。このレジューム処理には、ハードディスクドライブ３１内のオペレーティングシステム（ＯＳ）およびアプリケーションプログラムの起動が含まれる。
【００２７】
レジューム処理の実行中、バックアップ電源回路２４から出力されるバックアップ用動作電圧により、ファームウェアメモリ３２内のファームウェアに基づく商品登録の受付け処理がマイクロコンピュータ２２により実行される。たとえば、商品に付けられているバーコードがバーコードスキャナ１０で読取られ、その読取りデータがバックアップ用メモリ３３に記憶される。
【００２８】
レジューム処理が完了すると（ステップ１０８のＹＥＳ）、バックアップ用メモリ３３に記憶されているデータに応じた登録処理が実行される（ステップ１０１）。
【００２９】
以上のように、サスペンド機能を採用したことにより、当該ＰＯＳターミナル１の消費電力を抑制できる。しかも、サスペンド状態から通常に復帰するためのレジューム処理に際しては、その実行中にバックアップ電源を用いて商品登録の受付け処理を実行するので、たとえレジューム処理中であっても商品の登録を受付けることができる。これにより、業務を滞りなく継続することができて、いわゆるレジ待ちの時間がなくなり、買い物客に迷惑をかけたり店舗売上げが減少するといった不具合を生じることがなく、ＰＯＳターミナル１に対する信頼性が大幅に向上する。
【００３０】
なお、上記実施形態では、レジューム処理を開始するための操作手段として、バーコードスキャナ１０およびレジュームスイッチ１１の２つを採用したが、必ずしも２つを採用する必要はなく、いずれか１つだけ採用する構成としてもよい。  
その他、この発明は上記各実施形態に限定されるものではなく、要旨を変えない範囲で種々変形実施可能である。
【図面の簡単な説明】
【００３１】
【図１】一実施形態の外観を示す斜視図。
【図２】一実施形態の制御回路を示すブロック図。
【図３】一実施形態の作用を説明するためのフローチャート。
【符号の説明】
【００３２】
１…ＰＯＳターミナル、２…ドロワ、３…キーボード、５…カードリーダ、６…オペレーティング表示器、７…客面表示器、８…電子ジャーナル、９…プリンタ、１０…バーコードスキャナ、１１…レジュームスイッチ、２０…ＣＰＵ、２１…チップセット、２２…マイクロコンピュータ、２３…電源回路、２４…バックアップ電源回路、３１…ハードディスクドライブ、３２…ファームウェアメモリ、３３…バックアップ用メモリ
【図１】
2008158688.tif 000003
【図２】
2008158688.tif 000004
【図３】
2008158688.tif 000005